(57)【要約】【課題】  感光体ドラム及び現像担持体間の距離の変動に起因して生じる感光体ドラムの破損、及び感光体ドラムに形成されるトナー像の濃度が極端に低くなることを防止しうる現像バイアス電源及び画像形成装置を提供する。【解決手段】  現像スリーブ２０８に印加される現像バイアス電圧の交流成分を検出し、直流電圧に変換し、制御部６へ出力するＡＣ電圧検出部５と、現像スリーブ２０８に流れる現像バイアス電流の交流成分を検出するＡＣ電流検出部３と、ＡＣ電圧検出部５から出力された直流電圧を所定の上限値ＶＨ及び下限値ＶＬと比較し、当該直流電圧が下限値ＶＬ以上、上限値ＶＨ以下にある場合、定電流制御を行うように増幅部２の増幅率を調節し、当該直流電圧が上限値ＶＨを超える、或いは下限値ＶＬより小さい場合、定電圧制御を行うように増幅部２の増幅率を調節する制御部６とを備える。【選択図】      図２
2006084521.tif 000002
【特許請求の範囲】
【請求項１】
交流電圧を生成する生成手段と、
前記生成手段より生成された交流電圧を増幅し、現像バイアス電圧の交流成分を生成する増幅手段と、
現像担持体に印加された前記現像バイアス電圧の交流成分を検出する交流電圧検出手段と、
前記現像担持体に流れた現像バイアス電流の交流成分を検出する交流電流検出手段と、
前記現像担持体に印加する現像バイアスの交流電圧を整流して、直流成分を生成し、生成した現像バイアス電圧の直流成分に前記増幅手段により増幅された現像バイアス電圧の交流成分を重畳し、現像バイアス電圧を生成する現像バイアス電圧生成手段と、
前記交流電圧検出手段により検出された交流電圧が所定の上限値及び下限値の範囲内にある場合、前記交流電流検出手段により検出された現像バイアス電流の交流成分が一定となるように前記増幅手段の増幅率を調節して定電流制御を行い、前記交流電圧検出手段により検出された交流成分が前記上限値より大きい場合、前記上限値が維持されるように前記増幅手段の増幅率を調節して定電圧制御を行い、前記交流電圧検出手段により検出された交流成分が前記下限値より小さい場合、前記下限値が維持されるように前記増幅手段の増幅率を調節して定電圧制御を行う制御手段とを備えることを特徴とする現像バイアス電源。
【請求項２】
前記交流電圧検出手段は、検出した現像バイアス電圧の交流成分を直流電圧に変換して前記制御手段に出力し、
前記制御手段は、前記交流電圧検出手段から出力された直流電圧を前記上限値及び下限値と比較することを特徴とする請求項１記載の現像バイアス電源。
【請求項３】
前記現像バイアス電圧生成手段は、トランス及び直流電圧安定化手段から構成され、
前記トランスの一次側のコイルは、前記増幅手段の出力側に接続され、
前記トランスの二次側のコイルは、一端が前記現像担持体と接続され、前記二次側のコイルの他端が前記交流電流検出手段及び前記直流電圧安定化手段と接続されていることを特徴とする請求項１又は２記載の現像バイアス電源。
【請求項４】
請求項１〜３のいずれかに記載の現像バイアス電源を備えることを特徴とする画像形成装置。
【発明の詳細な説明】
【技術分野】
【０００１】
本発明は、現像スリーブ、或いは現像ローラ等の現像担持体に現像バイアス電圧を印加する現像バイアス電源及び画像形成装置に関するものである。
【背景技術】
【０００２】
近年、直流電圧と交流電圧とを重畳して現像バイアス電圧を生成し、現像担持体を駆動する現像バイアス電源が知られている。ここで、現像バイアス電圧の直流成分は、現像画像の濃度や線画像の線幅等に大きな影響を与える。また、現像バイアス電圧の交流成分は、現像担持体及び感光体ドラム間で現像剤の運動を活性化させ、階調性の向上や線画像の線幅の細りを防止し、１ドットの再現性の向上等に寄与する。
【０００３】
現像バイアス電圧の交流成分を生成する電源としては、一定の振幅を有する交流電圧を出力することができる定電圧源が広く用いられている。しかしながら、現像担持体と感光体ドラムとの間には空隙により静電容量が形成される。ここで、現像担持体及び感光体ドラムの空隙は、現像担持体及び感光体ドラム間を一定間隔に保持するスペースローラによって保たれる。そのため、スペースローラが摩耗等に伴って変形すると、現像担持体と感光体ドラム間の静電容量が変動する。従って、現像担持体に一定の振幅の交流電圧を印加するだけでは、現像担持体と感光体ドラム間を流れる交流電流が変動して、良好な画像を形成することができないという問題がある。
【０００４】
そこで、現像バイアス電圧の交流成分を生成する電源として、現像担持体を流れる電流（現像バイアス電流）を監視し、現像バイアス電圧の交流成分の振幅を一定の値に制御することができる電源を採用して現像バイアス電圧の交流成分を生成する、いわゆる定電流制御による現像装置が知られている（特許文献１）。
【０００５】
また、現像担持体でもある、現像スリーブへの電流が所定の値となるようにＡＣ電源を定電流制御する定電流制御回路と、現像スリーブへ印加される電圧が所定の値となるようにＡＣ電源を制御する定電圧制御回路と、ＣＰＵの制御の下、定電流制御回路と定電圧制御回路とを切り替えてＡＣ電源に接続させる切替回路等とを備え、定電流制御時に現像スリーブに印加される電圧を検出した後、ＡＣ電源の制御を定電圧制御に切り替え、定電流制御時に検出した電圧が現像スリーブに印加されるようにＡＣ電源を定電圧制御する画像形成装置が開示されている（特許文献２）。
【特許文献１】特開平０６−１８６８３０号公報
【特許文献２】特開平０７−１７５２８２号公報
【発明の開示】
【発明が解決しようとする課題】
【０００６】
しかしながら、特許文献１記載の発明では、現像担持体及び感光体ドラム間の空隙が広がると、両部材間のインピーダンスが増大し、それに伴って現像バイアス電圧の交流成分の振幅が増大し、感光体ドラムを破損させるという問題が発生する。また、両部材間の空隙が狭くなると、両部材間のインピーダンスが減少し、それに伴ってバイアス電圧が非常に低くなり、感光体ドラムに形成されるトナー像の濃度が極端に低くなるという問題が発生する。
【０００７】
さらに、特許文献２記載の発明では、定電圧制御時の目標電圧を定めるために定電流制御が行われ、目標電圧が定められた後は、定電圧制御がなされているため、定電流制御を主体的に行う本願とは構成が相違する。
【０００８】
本発明の目的は、簡便な回路構成により低コスト化を図りつつ、感光体ドラム及び現像担持体間の距離の変動に起因して生じる感光体ドラムの破損、及び感光体ドラムに形成されるトナー像の濃度が極端に低くなることを防止しうる現像バイアス電源及び画像形成装置を提供することである。
【課題を解決するための手段】
【０００９】
本発明にかかる現像バイアス電源は、交流電圧を生成する生成手段と、前記生成手段より生成された交流電圧を増幅し、現像バイアス電圧の交流成分を生成する増幅手段と、現像担持体に印加された現像バイアス電圧の交流成分を検出する交流電圧検出手段と、前記現像担持体に流れた現像バイアス電流の交流成分を検出する交流電流検出手段と、前記現像担持体に印加した交流電圧を整流して、現像バイアス電圧の直流成分を生成し、生成した現像バイアス電圧の直流成分に前記増幅手段により増幅された現像バイアス電圧の交流成分を重畳し、現像バイアス電圧を生成する現像バイアス電圧生成手段と、前記交流電圧検出手段により検出された交流電圧が所定の上限値及び下限値の範囲内にある場合、前記交流電流検出手段により検出された現像バイアス電流の交流成分が一定となるように前記増幅手段の増幅率を調節して定電流制御を行い、前記交流電圧検出手段により検出された交流成分が前記上限値より大きい場合、前記上限値が維持されるように前記増幅手段の増幅率を調節して定電圧制御を行い、前記交流電圧検出手段により検出された交流成分が前記下限値より小さい場合、前記下限値が維持されるように前記増幅手段の増幅率を調節して定電圧制御を行う制御手段とを備えることを特徴とする。
【００１０】
また、上記構成において、前記交流電圧検出手段は、検出した現像バイアス電圧の交流成分を直流電圧に変換して前記制御手段に出力し、前記制御手段は、前記交流電圧検出手段から出力された直流電圧を前記上限値及び下限値と比較することが好ましい。
【００１１】
また、上記構成において、前記現像バイアス電圧生成手段は、トランス及び直流電圧安定化手段から構成され、前記トランスの一次側のコイルは、前記増幅手段の出力側に接続され、前記トランスの二次側のコイルは、一端が前記現像担持体と接続され、前記二次側のコイルの他端が前記交流電流検出手段及び前記直流電圧安定化手段と接続されていることが好ましい。
【００１２】
本発明にかかる画像形成装置は、請求項１〜３のいずれかに記載の現像バイアス電源を備えることを特徴とする。
【発明の効果】
【００１３】
請求項１記載の発明によれば、生成手段により生成された交流電圧が増幅手段により増幅され、現像バイアス電圧の交流成分が生成される。増幅手段により生成された交流成分は、現像バイアス電圧生成手段により現像バイアス電圧の直流成分に重畳されて現像バイアス電圧が生成され、現像担持体に印加される。ここで、現像バイアス電圧の直流成分は、現像担持体に印加する現像バイアス電流の交流成分を整流して生成されている。
【００１４】
交流電圧検出手段は、現像担持体に印加された現像バイアス電圧の交流成分を検出し、交流電流検出手段は、現像担持体に流れた現像バイアス電流の交流成分を検出する。制御手段は、交流電圧検出手段から出力された現像バイアス電圧の交流成分を所定の上限値及び下限値と比較する。そして、制御手段は、交流成分の値が上限値及び下限値の範囲内にある場合は、交流電流検出手段から出力される現像バイアス電流の交流成分が一定となるように増幅手段の増幅率を調節して定電流制御を行う。
【００１５】
一方、制御手段は、交流電圧検出手段により検出された現像バイアス電圧の交流成分が上限値より大きい場合は、電圧信号検出手段から出力される交流成分が上限値となるように、増幅手段の増幅率を調節して定電圧制御を行う。また、交流電圧検出手段から出力された交流成分が下限値より小さい場合は、電圧信号検出手段から出力される交流成分が下限値となるように、増幅手段の増幅率を調節して定電圧制御を行う。
【００１６】
すなわち、現像バイアス電圧の交流成分が上限値より大きくなったとき、或いは下限値より小さくなったとき、定電流制御から定電圧制御に制御が切り替えられているため、現像担持体に印加されるバイアス電圧を一定の範囲内に保つことができる。従って、現像担持体及び感光体ドラム間の距離の変動に起因して生じる感光体ドラムの破損、及び感光体ドラムに形成されるトナー像の濃度の極端な低下を防止することができる。また、特許文献２に記載の発明のようにＣＰＵを用いることなく回路を構成することが可能であるため、回路構成が簡便化された低コストな現像バイアス電源を提供することができる。
【００１７】
請求項２記載の発明によれば、交流電圧検出手段は、検出した現像バイアス電圧の交流成分を直流電圧に変換し、制御手段は、交流電圧検出手段により変換された直流電圧を上限値及び下限値と比較しているため、現像バイアス電圧の交流成分が上限値及び下限値の範囲内にあるか否かの判定を正確に行うことができる。
【００１８】
請求項３記載の発明によれば、現像バイアス電圧生成手段をトランスにより構成したため、現像担持体を駆動するために要求される高振幅の現像バイアス電圧の交流成分を容易に生成することができると共に、トランスの二次側のコイルに直流電圧生成手段を接続するという簡略な構成により、トランスの二次側のコイルに誘起された現像バイアス電圧の交流成分を現像バイアス電圧の直流成分に重畳することができる。
【００１９】
請求項４記載の発明によれば、現像担持体及び感光体ドラム間の距離の変動に起因して生じる感光体ドラムの破損、及び感光体ドラムに形成されるトナー像の濃度の極端な低下を防止し、良好な画像を形成しうる画像形成装置を提供することができる。
【発明を実施するための最良の形態】
【００２０】
以下、本発明の実施の形態による現像バイアス電源を画像形成装置に適用した場合を例に挙げて説明する。図１は、画像形成装置の機械的構成を主に示す側面概略図である。本画像形成装置は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００２１】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００２２】
原稿給送部６００は、原稿載置部６０１、原稿排出部６０２、給紙ローラ６０３及び原稿搬送部６０４、及びコンタクトガラス６０５等を備え、原稿読み取り部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。また、スキャナ５０１は、コンタクトガラス６０５に載置された原稿を読み取る場合は、Ａ方向にスライドして原稿を読み取る。
【００２３】
本体部２００は、複数の給紙カセット２０１、複数の給紙ローラ２０２、転写ローラ２０３、感光体ドラム２０４、露光装置２０５、現像装置２０６、定着ローラ２０７、排出口２０９、及び排出トレイ２１０等を備える。
【００２４】
感光体ドラム２０４は、矢印方向に回転しながら帯電装置（図示省略）によって一様に帯電される。露光装置２０５は、原稿読み取り部５００において読み取られた原稿の画像データに基づいて生成された変調信号をレーザ光に変換して出力し、感光体ドラム２０４に静電潜像を形成する。現像装置２０６は、黒色の現像剤を感光体ドラム２０４に供給して黒色のトナー像を形成する。現像装置２０６は現像スリーブ２０８を備える。現像スリーブ２０８には現像バイアス電源１０が電気的に接続されている。
【００２５】
一方、給紙ローラ２０２は、記録紙が収納された給紙カセット２０１から記録紙を引き出し転写ローラ２０３へと搬送する。転写ローラ２０３は、搬送された記録紙に感光体ドラム２０４上のトナー像を転写させる。トナー像が転写された記録紙は、定着ローラ２０７へと搬送され、定着ローラ２０７は、転写されたトナー像を加熱して記録紙に定着させる。その後、記録紙は、排出口２０９へと搬送され用紙後処理部３００に搬入される。また、記録紙は、必要に応じて排出トレイ２１０へも排出される。
【００２６】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２７】
図２は、現像バイアス電源１０のブロック図を示している。現像バイアス電源１０は、信号発生装置１、増幅部２、ＡＣ電流検出部３、ＤＣ電圧安定化部４、ＡＣ電圧検出部５、制御部６、トランスＴ、４個の抵抗Ｒ１〜Ｒ４、コンデンサＣ、及びダイオードＤを備えている。
【００２８】
信号発生装置１は、増幅部２の入力側に接続されている。増幅部２はトランスＴの一次側のコイルに接続されている。トランスＴの二次側のコイルの一端には現像スリーブ２０８が接続されている。トランスＴの二次側のコイルの他端には、コンデンサＣを介してＡＣ電流検出部３が接続され、かつ、抵抗Ｒ３を介してＤＣ電圧安定化部４が接続されている。ダイオードＤはカソードが現像スリーブ２０８に接続され、アノードがＡＣ電圧検出部５に接続されている。抵抗Ｒ４は一端がダイオードＤのアノードに接続され、他端が接地されている。制御部６は、ＡＣ電流検出部３の出力側及びＡＣ電圧検出部５の出力側と接続されている。感光体ドラム２０４は現像スリーブ２０８と対向して配設されている。ノードＮ２には、一端が接地された抵抗Ｒ２と一端が電源ＶＣＣに接続された抵抗Ｒ１とが接続されている。
【００２９】
信号発生装置１は、矩形波、正弦波、及び三角波等の交流信号を生成する。増幅部２は、信号発生装置１から出力された交流信号を増幅してトランスＴの一次側のコイルを駆動する。
【００３０】
トランスＴは、一次側のコイルに入力された交流電圧を、一次側のコイルに対する二次側のコイルの巻き線比で、二次側のコイルに誘起する。例えば、巻き線比が１：１３０であれば、一次側のコイルに２０ＶＰ−Ｐ（ピークツーピーク）の交流電圧が入力されると、二次側のコイルには２０×１３０＝２６００ＶＰ−Ｐの交流電圧が誘起される。この交流電圧が現像スリーブ２０８に印加される現像バイアス電圧の交流成分となる。ピークツーピークとは、交流電圧の正の最大値と負の最小値との差を示す。
【００３１】
ダイオードＤは、トランスＴの二次側のコイルに流れる交流電流を整流して直流電圧を得る為のものである。ここで、現像スリーブ２０８及び感光体ドラム２０４間は容量性であるため、交流電流は現像スリーブ２０８及び感光体ドラム２０４間を流れる。感光体ドラム２０４に流れ込んだ交流電流は、グランドからＡＣ電流検出部３及びコンデンサＣを介してトランスＴのノードＮ１に戻る。ＡＣ電流検出部３はノードＮ１に戻った電流を検出する。当然の事ながら交流電流は前述の逆ルートでも流れることになる。
【００３２】
直流電流はコンデンサＣでカットされる為に、ＡＣ電流検出部３は、現像バイアス電流の交流成分のみ検出する。ダイオードＤの両端には常に交流電圧が印加されているが、ダイオードＤのアノード側が正になる周期で抵抗Ｒ３を経由してＤＣ電圧安定化部４へと電流が流れこむ。
【００３３】
ＤＣ電圧安定化部４は、現像バイアス電流の直流成分を受け、ノードＮ１の電圧値が一定となるように、受信した直流成分の電流値を調節する。ここで、ＤＣ電圧安定化部４は、ノードＮ１の電圧値がノードＮ２の電圧値に等しくなるように受けた直流成分の電流値を調節する。なお、ノードＮ１の電圧値が現像バイアス電圧の直流成分となる。なお、ノードＮ２には、電源ＶＣＣを抵抗Ｒ１及びＲ２で分圧した電圧が印加されている。
【００３４】
ＡＣ電圧検出部５は、ダイオードＤのアノード側に接続された抵抗Ｒ４の両端に発生する負の半波電圧を直流電圧に変換し、制御部６に出力する。変換された直流電圧は、現像スリーブ２０８に印加される現像バイアス電圧の交流成分に比例する。
【００３５】
制御部６は、ＡＣ電圧検出部５から出力された電圧値を予め定められた下限値ＶＬ及び上限値ＶＨと比較し、当該電圧値が下限値ＶＬ以上、上限値ＶＨ以下の範囲にあるとき、ＡＣ電流検出部３により検出された現像バイアス電流の交流成分の振幅が一定の値となるように、増幅部２の増幅率を調節する。
【００３６】
また、制御部６は、ＡＣ電圧検出部５から出力された電圧値が上限値ＶＨより大きいとき、ＡＣ電圧検出部５から出力される電圧値が上限値ＶＨを維持するように、増幅部２の増幅率を調節する。さらに、制御部６は、ＡＣ電圧検出部５から出力された電圧値が下限値ＶＬより小さいとき、ＡＣ電圧検出部５から出力される電圧値が下限値ＶＬを維持するように、増幅部２の増幅率を調節する。
【００３７】
すなわち、制御部６は、現像バイアス電圧の交流成分の振幅が下限値ＶＬ以上、上限値ＶＨ以下の範囲にあるとき定電流制御を行い、現像バイアス電圧の交流成分の振幅が上限値ＶＨより大きい、或いは下限値ＶＬより低いとき定電圧制御を行う。なお、制御部６には上限値ＶＨ及び下限値ＶＬを示す電気信号が入力されている。
【００３８】
本実施形態では、信号発生装置１が生成手段に相当し、増幅部２が増幅手段に相当し、トランスＴ、抵抗Ｒ１〜Ｒ３、ＤＣ電圧安定化部４が現像バイアス電圧生成手段に相当し、ダイオードＤ、ＡＣ電圧検出部５、及び抵抗Ｒ４が交流電圧検出手段に相当し、コンデンサＣ及びＡＣ電流検出部３が交流電流検出手段に相当し、制御部６が制御手段に相当する。
【００３９】
以上説明した現像バイアス電源１０の動作を纏めると以下のようになる。信号発生装置１から出力された交流電圧は、増幅部２により増幅され、トランスＴにより誘起され、所定の振幅値とされる。一方、ノードＮ１はＤＣ電圧安定化部４により一定の電圧値とされている。そのため、現像スリーブ２０８には、ノードＮ１の電圧値とトランスＴにより所定の振幅値とされた交流電圧とが重畳された現像バイアス電圧が印加される。現像バイアス電流の交流成分は、コンデンサＣを介してＡＣ電流検出部３へと流れ込み、現像バイアス電流の直流成分は抵抗Ｒ３を介してＤＣ電圧安定化部４へと流れ込む。
【００４０】
現像バイアス電圧の交流成分は、ＡＣ電圧検出部５により検出され、直流電圧に変換され、制御部６へと出力される。制御部６は、ＡＣ電圧検出部５から出力された直流電圧が下限値ＶＬ以上、上限値ＶＨ以下の範囲にあるとき定電流制御を行い、ＡＣ電圧検出部５から出力された直流電圧が上限値ＶＨより大きい、或いは下限値ＶＬよりも小さい場合は定電圧制御を行う。
【００４１】
図３は現像スリーブ２０８に印加される現像バイアス電圧の交流成分を示したグラフであり、縦軸は交流成分の電圧値のピークツーピークの値を示し、横軸は交流成分の電流値を示している。また、図４は、図３に示すグラフに対応する表を示している。図４に示す表は、図３に示すグラフの横軸に対応するＡＣ電流（μＡ）の欄と、図３に示すグラフの縦軸に対応するＡＣ電圧（ＶＰ−Ｐ）の欄と、ＤＣ電圧（Ｖ）の欄とから構成されている。ＤＣ電圧（Ｖ）の欄に記載された値は、現像バイアス電圧の直流成分の値を示している。
【００４２】
図３に示すように、点Ｐ１及びＰ２間では定電流制御が行われているため、グラフの傾きが急峻となっていることが分かる。一方、現像バイアス電圧の交流成分の振幅が上限値ＶＨを超えたとき、制御部６により定電流制御から定電圧制御に制御が切り替えられるため、点Ｐ１より左側の領域ではグラフの傾きが緩やかとなっていることが分かる。また、現像バイアス電圧の交流成分の振幅が下限値ＶＬより小さくなったとき、制御部６により定電流制御から定電圧制御に制御が切り替えられるため、点Ｐ２より右側の領域ではグラフの傾きが緩やかになっていることが分かる。なお、図３に示すグラフの縦軸はピークツーピークを示しているため、上限値は２ＶＨ、下限値は２ＶＬとなる。
【００４３】
以上説明したように現像バイアス電源１０によれば、基本的には定電流制御により現像バイアス電圧を生成し、現像バイアス電圧の交流成分の振幅が下限値より小さくなったとき、定電流制御から定電圧制御に制御が切り替えられる。そのため、現像スリーブ２０８及び感光体ドラム２０４間の距離が小さくなることに起因して生じる現像スリーブ２０８への現像バイアス電圧の低下が抑制され、感光体ドラム２０４に極端に濃度が薄いトナー像が形成されることを防止することができる。また、現像バイアス電圧の交流成分の振幅が上限値ＶＨより大きくなったとき、定電流制御から定電圧制御に制御が切り替えられているため、現像スリーブ２０８及び感光体ドラム２０４間の距離が大きくなることに起因する現像バイアス電圧の増大が抑制され、現像スリーブ２０８及び感光体ドラム２０４の破損を防止することができる。
【図面の簡単な説明】
【００４４】
【図１】本発明の一実施形態に係る現像バイアス電源が適用される画像形成装置の内部構成を概略的に示す図である。
【図２】現像バイアス電源のブロック図を示している。
【図３】現像スリーブに印加される現像バイアス電圧の交流成分を示したグラフであり、縦軸は交流成分の電圧値のピークツーピークの値を示し、横軸は交流成分の電流値を示している。
【図４】図３に示すグラフに対応する表を示している。
【符号の説明】
【００４５】
１  信号発生装置
２  増幅部
３  ＡＣ電流検出部
４  ＤＣ電圧安定化部
５  ＡＣ電圧検出部
６  制御部
１０  現像バイアス電源
２０４  感光体ドラム
２０８  現像スリーブ
Ｃ  コンデンサ
Ｄ  ダイオード
Ｎ１  Ｎ２ノード
Ｒ１〜Ｒ４  抵抗
Ｔ  トランス
ＶＣＣ  電源
【図１】
2006084521.tif 000003
【図２】
2006084521.tif 000004
【図３】
2006084521.tif 000005
【図４】
2006084521.tif 000006